(57)【要約】【課題】骨材が木製の場合でも十分な強度が得られる耐震テーブルを提供する。【解決手段】耐震テーブル１は、天板２と、該天板２を支持する支持台３を有している。支持台３は、４本の脚部５と、桁６、６と、上梁７、７と、下梁８、８と、桁６に沿って下梁８、８間に架けられた地張９と、上梁７、７の対向する位置から下方へＶ字状に延びる一対の筋交い１０、１０を有している。筋交い１０、１０の下方先端部は各々の垂直面をもって互いに突き合わされ、該突き合わせ部１１は三角形状に形成されて地張９の凹部９ａに埋没状態に収容されている。突き合わせ部１１は左右側からの力が押し合う力点となる。【選択図】        図１
2006122097.tif 000002
【特許請求の範囲】
【請求項１】
複数の骨材を組み合わせて構成された支持台と、該支持台の上面に固定される天板を有する耐震テーブルにおいて、
上記支持台が、その上部の対向位置から下方へＶ字状に延びる一対の筋交いを有し、該筋交いの下方先端部は各々の垂直面をもって突き合わされ、該突き合わせ部は上記支持台の下部において略水平に架けられた骨材に支持されていることを特徴とする耐震テーブル。
【請求項２】
請求項１記載の耐震テーブルにおいて、
上記突き合わせ部が上記骨材に形成された凹部に埋没状態に収容されていることを特徴とする耐震テーブル。
【請求項３】
請求項１又は２記載の耐震テーブルにおいて、
上記支持台の水平方向における骨材間の少なくとも一部の接合が、蟻継ぎによってなされていることを特徴とする耐震テーブル。
【発明の詳細な説明】
【技術分野】
【０００１】
本発明は、日常生活において使用されるテーブルに関し、詳しくは、地震等における家具等の倒れに対する強度を有し、その下方空間部を避難空間として活用可能な耐震テーブルに関する。
【背景技術】
【０００２】
地震等で家具が倒れたり、天井や壁面が崩落したりした場合の危険に対する最も身近な避難場所として、従来より、生活空間内に存在するテーブルの下方空間が指摘されている。
近年、地震発生の蓋然性が高まるにつれ、上記テーブルの持つ存在意義は大きくなってきている。
特開平８−３２２６４６号公報、特開平１１−１９６９６６号公報、特開２００１−２２４４４１号公報等には、テーブルの天板の裏面に把手（つかまり棒）を設け、地震等の時、把手を握ることによって避難者の不安定さを防止するとともに、テーブルの移動、転倒を防止する耐震テーブルが記載されている。
【０００３】
【特許文献１】特開平８−３２２６４６号公報
【特許文献２】特開平１１−１９６９６６号公報
【特許文献３】特開２００１−２２４４４１号公報
【特許文献４】特開２００３−２３９９２１号公報
【発明の開示】
【発明が解決しようとする課題】
【０００４】
この種の耐震テーブルにおいて、最も優先されるべき機能は家具の倒れや壁材等の落下に対する強度である。
しかしながら、上記した従来の耐震テーブルでは、テーブルの下方に避難したときの安定性に主眼をおいており、強度の面からは根本的な対策が講じられていない。
すなわち、棒状又は板状の脚部を単に天板の下方に垂直に配設し、ネジやボルト等で連結する構成となっている。
【０００５】
特許文献１には、天板裏面の中心部につかまり棒を兼ねる脚部を設けて脚部を５本とするとともに、脚部の上部を互いに連結して強度を向上させる構成が記載されている。しかしながら、下方向へは各脚部が独立して存在するため、斜め方向等の負荷には弱く、全体の構造的強度の向上は期待できない。
特許文献３には、天板の内部に補強プレートを封入して複層構造にすることが記載されているが、天板自体の強度に限定されるものであり、テーブル全体としての強度向上は期待できない。
【０００６】
天板を支持する複数の骨材をネジやボルト等で固定した場合、負荷を受けたとき、径の小さい剛体であるネジやボルト部分に応力が集中し、骨材が木製の場合には固定部分が容易に破壊し、骨材が金属製等の場合でもネジやボルトが容易に曲がったり破壊して骨組み強度は急激に低下する。
【０００７】
本発明は、骨材が木製の場合でも十分な強度が得られる耐震テーブルの提供を、その目的とする。
【課題を解決するための手段】
【０００８】
請求項１記載の発明は、複数の骨材を組み合わせて構成された支持台と、該支持台の上面に固定される天板を有する耐震テーブルにおいて、上記支持台が、その上部の対向位置から下方へＶ字状に延びる一対の筋交いを有し、該筋交いの下方先端部は各々の垂直面をもって突き合わされ、該突き合わせ部は上記支持台の下部において略水平に架けられた骨材に支持されていることを特徴とする耐震テーブルである。
【０００９】
請求項２記載の発明は、請求項１記載の耐震テーブルにおいて、上記突き合わせ部が上記骨材に形成された凹部に埋没状態に収容されていることを特徴とする耐震テーブルである。
【００１０】
請求項３記載の発明は、請求項１又は２記載の耐震テーブルにおいて、上記支持台の水平方向における骨材間の少なくとも一部の接合が、蟻継ぎによってなされていることを特徴とする耐震テーブルである。
【発明の効果】
【００１１】
本発明によれば、筋交いの突き合わせ部の力点機能により、テーブルの内方への倒れ込みを防止でき、耐震強度を向上させることができる。
地震時にタンス等が倒れてきてもこれにより押し潰されない強度を得ることができ、日常生活における使用性を維持しながら地震時の避難空間を確保できる。
また、骨材を蟻継ぎで接合した場合にはさらなる強度向上を図ることができる。
【発明を実施するための最良の形態】
【００１２】
以下、本発明の一実施形態を図１乃至図４に基づいて説明する。
図１に示すように、本実施形態における耐震テーブル１は、天板２と、該天板２を支持する支持台３を有している。
天板２は、複数枚のヒノキ材の細幅の単板２ａにより寄木として構成されており、その裏面には単板２ａの長手方向と直交する方向に配置された反り止め板４が固定されている。各単板２ａは両端を図示しない木口止めにより固定されている。
支持台３は、骨材としての４本の柱状の脚部５と、脚部５の上部において手前側と奥側の長辺区間に架けられた骨材としての柱状の桁６、６と、左右の短辺区間に架けられた骨材としての柱状の上梁７、７と、脚部５の下部において左右の短辺区間に架けられた骨材としての柱状の下梁８、８と、桁６に沿って下梁８、８間に架けられた骨材としての柱状の地張９と、上梁７、７の対向する位置から下方へＶ字状に延びる骨材としての一対の筋交い１０、１０を有している。これらの骨材は天板２と同様にヒノキ材で形成されている。
【００１３】
筋交い１０、１０の下方先端部は各々の垂直面１０ａ（図３参照）をもって互いに突き合わされ、該突き合わせ部１１は三角形状に形成されて地張９の上面側に形成された凹部９ａに埋没状態に収容されている。
筋交い１０、１０はネジ等の固定手段を用いることなく、一端側を上梁７に嵌め当て、他端側を突き合わせて地張９の凹部９ａに収容することのみにより組み込まれている。
天板２は、上梁７、７の内側にネジ１８で固定される４つのＬ字形の金具１２とネジ１３により裏面側を支持台３に固定されている。
桁６と上梁７との接合及び地張９と下梁８との接合は、蟻継ぎ１４によってなされ、上梁７と脚部５との接合及び脚部５と下梁８との接合は、軸方向（長手方向）の押し込みによる接合が可能なホゾによってなされている。さらに脚部５と下梁８との接合においては、外部から楔１５が打ち込まれている。
【００１４】
蟻継ぎ１４は、図２に示すように、桁６の端部に軸方向に突出して形成された蟻ホゾ６ａと、上梁７の端部に形成され蟻ホゾ６ａが上側から挿入されて軸方向には抜け止め状態に収容されるホゾ穴７ａとから構成されている。
さらに、本実施形態における蟻継ぎ１４は、腰掛け蟻継ぎであり、ホゾ穴７ａに連設して、桁６の肩部６ｂが収容される腰掛け凹部７ｂが形成されている。腰掛け蟻継ぎとせずに通常の蟻継ぎとしてもよい。
地張９と下梁８との接合における蟻継ぎ１４においても同様の構成となっている。
本実施形態では、桁６、地張９に蟻ホゾを設け、上梁７、下梁８にホゾ穴を設ける構成としたが、これらの蟻継ぎは任意に逆態様としてもよい。すなわち、例えば上梁７に蟻ホゾを形成し、桁６にホゾ穴を形成してもよい。
【００１５】
図３に示すように、地張９の上面側に開口して形成される凹部９ａは、筋交い１０、１０の突き合わせ部１１の形状に対応した断面三角形状に形成されており、突き合わせ部１１をガタツキの無い又は少ない状態に収容できるようになっている。
突き合わせ部１１の外れを防止するために、地張９の上面における凹部９ａの左右には止め部材１６が下側からネジ１７で固定されている。止め部材１６は、凹部９ａの傾斜面の延長上に位置して筋交い１０の側面に沿う傾斜面１６ａを有している。
【００１６】
図４に示すように、上方から圧力Ｆ１が作用した場合、左右から圧力Ｆ２が作用した場合、斜めから圧力Ｆ３が作用した場合のいずれにおいても、これらの圧力の分力Ｆ４は筋交い１０を伝って突き合わせ部１１で互いに押し合う。
すなわち、突き合わせ部１１は力点となり、上記各圧力による支持台３の内側への倒れ込みを阻止する。また、蟻継ぎ１４によって左右の開きが防止される。木材による蟻継ぎでは、強固な抜け止め機能が得られるとともに、外部圧力（荷重）に対する骨材の組構造全体のしなやかさ（靭性）による振動吸収機能も得られる。
したがって、突き合わせ部１１の力点機能と、蟻継ぎ１４の機能との協働により、上、横、斜めからの大きな荷重に耐えることができる。
各骨材における耐荷重機能を述べると、桁６及び上梁７は上方、左右、前後、斜めからの圧力に耐える機能を有し、脚部５は上方からの圧力に耐える機能を有し、下梁８は全体のバランスを保ちながら上記各圧力に耐える機能を有している。
ネジやボルト等の固定手段による固定は必要最小限に止めてあるので、応力集中による破壊は生じにくく、耐震強度を向上させることができる。
上記実施形態における材質、形状等は一例であり、これに限定される趣旨ではない。
【実施例１】
【００１７】
上記構成における耐震テーブル１の強度試験（圧縮試験）を下記の条件で行った。
天板２：９５０ｍｍ×１６５０ｍｍ  厚み＝３０ｍｍ
脚部５：１００ｍｍ×１００ｍｍ    高さ＝６２０ｍｍ
桁６：１００ｍｍ×８０ｍｍ        長さ＝１３００ｍｍ
上梁７：１００ｍｍ×８０ｍｍ      長さ＝８５０ｍｍ
下梁８：１００ｍｍ×６０ｍｍ      長さ＝５５０ｍｍ
筋交い１０：６０ｍｍ×６０ｍｍ    下面長さ＝８８６ｍｍ
桁６と上面との角度＝３８°
試験者：静岡県静岡工業技術センター
試験方法：箱型圧縮試験機（ＪＴ  トーシ（株））により、天板の中央部を縦６００ｍｍ×横３００ｍｍ×厚さ２５ｍｍの当板を介して圧縮速度５ｍｍ／ｍｉｎで１０ｋＮまで負荷を加え、破壊の発生を調べた。
試験結果：破壊の発生は確認されなかった。１０ｋＮまでの負荷過程の変位−荷重曲線のグラフにおいて線形性が認められた。
【図面の簡単な説明】
【００１８】
【図１】本発明の一実施形態における耐震テーブルの天板を外した状態の斜視図である。
【図２】蟻継ぎの構造を示す分解斜視図である。
【図３】筋交いの突き合わせ部の位置決め構成を示す分解斜視図である。
【図４】筋交いの突き合わせ部の力点機能を示す正面図である。
【符号の説明】
【００１９】
２  天板
３    支持台
５    骨材としての脚部
６    骨材としての桁
７    骨材としての上梁
８    骨材としての下梁
９    骨材としての地張
９ａ    凹部
１０    筋交い
１０ａ    垂直面
１１    突き合わせ部
１４    蟻継ぎ
【図１】
2006122097.tif 000003
【図２】
2006122097.tif 000004
【図３】
2006122097.tif 000005
【図４】
2006122097.tif 000006